(57)【特許請求の範囲】
【請求項１】
一対の向かい合う側面に一対の容器開口部の各々が設けられ、前記一対の容器開口部の一方から他方にわたって設けられた仕切面によって内部の空間が分割されることで形成された領域である複数のセル部を備え、前記複数のセル部に消臭剤を格納する容器と、
第１蓋開口部を備え、前記第１蓋開口部において前記複数のセル部のうちの１または複数を外気に開放し、前記第１蓋開口部でない場所において前記一対の容器開口部の一方を塞ぐように設けられた第１蓋と、
前記容器または前記第１蓋を移動させることで、前記複数のセル部のうち前記第１蓋が外気に開放するセル部を別のセル部に変化させる駆動機と、
エレベーターのかごの上方に設けられ、前記駆動機に回転自在に接続され、前記かごが上昇または下降運動を行うときに前記かごの周辺に発生する気流によって回転するプロペラと、
を備え、
前記駆動機は、前記プロペラが回転する駆動力を用いて、前記容器と前記第１蓋との相対位置を変化させる消臭装置。
【請求項２】
円盤状に成型され、第２蓋開口部を備え、前記第２蓋開口部において前記複数のセル部のうちの１または複数を外気に開放し、前記第２蓋開口部でない場所において前記一対の容器開口部の他方を塞ぐように設けられ、前記複数のセル部のうち外気に開放するセル部は前記第１蓋が外気に開放するセル部と同じである第２蓋と、
前記第１蓋の中心と前記第２蓋の中心とに接続され、前記第１蓋と前記第２蓋とに同期して回転することで、前記第１蓋開口部と前記第２蓋開口部とを同じ角度だけ回転させる蓋軸と、
を備えた請求項１に記載の消臭装置。
【請求項３】
前記容器は、円筒形状に成型され、
前記複数のセル部の各々の断面は、扇形の形状を有し、
前記第１蓋は、円盤状に成型され、
前記第１蓋開口部は、扇形の形状を有する請求項１または請求項２に記載の消臭装置。
【請求項４】
前記容器は、直方体形状に成型され、
前記複数のセル部の各々は、並行に並ぶよう設けられた請求項１に記載の消臭装置。
【請求項５】
エレベーターのかごに設けられ、開閉自在に設けられた一対の箱蓋を側面に備え、前記容器と前記第１蓋とを内部に格納する格納箱を備えた請求項１から請求項３のいずれか一項に記載の消臭装置。
【請求項６】
前記格納箱は、エレベーターの制御情報を取得し、前記かごが上昇または下降運動を行う場合、前記制御情報を用いて前記一対の箱蓋を開放させる請求項５に記載の消臭装置。
【発明の詳細な説明】
【技術分野】
【０００１】
本開示は、消臭装置に関する。
【背景技術】
【０００２】
特許文献１は、エレベーターの消臭装置を開示する。当該消臭装置は、消臭成分が付加された空気をエレベーターのかごの内部に送る。当該消臭装置によれば、エレベーターのかご内部を消臭することができる。
【先行技術文献】
【特許文献】
【０００３】
【特許文献１】日本特開２００８−２０１５３０号公報
【発明の概要】
【発明が解決しようとする課題】
【０００４】
しかしながら、特許文献１に記載の消臭装置は、揮発性の消臭剤を使用している。揮発性の消臭剤は、揮発特性の異なる複数の消臭成分から構成される。よって、当該消臭剤は、使用されるにつれて、消臭成分の含有比率が変化してしまう。当該消臭剤は、消臭成分の含有比率が変化すると、消臭効果が低減する。このため、当該消臭装置を一定期間以上使用すると、消臭効果が低減する。【０００５】
本開示は、上述の課題を解決するためになされた。本開示の目的は、消臭効果を長期間持続させることができる消臭装置を提供することである。
【課題を解決するための手段】
【０００６】
本開示に係る消臭装置は、一対の向かい合う側面に一対の容器開口部の各々が設けられ、前記一対の容器開口部の一方から他方にわたって設けられた仕切面によって内部の空間が分割されることで形成された領域である複数のセル部を備え、前記複数のセル部に消臭剤を格納する容器と、第１蓋開口部を備え、前記第１蓋開口部において前記複数のセル部のうちの１または複数を外気に開放し、前記第１蓋開口部でない場所において前記一対の容器開口部の一方を塞ぐように設けられた第１蓋と、前記容器または前記第１蓋を移動させることで、前記複数のセル部のうち前記第１蓋が外気に開放するセル部を別のセル部に変化させる駆動機と、エレベーターのかごの上方に設けられ、前記駆動機に回転自在に接続され、前記かごが上昇または下降運動を行うときに前記かごの周辺に発生する気流によって回転するプロペラと、を備え、前記駆動機は、前記プロペラが回転する駆動力を用いて、前記容器と前記第１蓋との相対位置を変化させる。
【発明の効果】
【０００７】
本開示によれば、消臭装置は、第１蓋開口部において複数のセル部のうちの１または複数を外気に開放し、第１蓋開口部以外の場所において一対の容器開口部の一方を塞ぐように設けられた第１蓋、を備えた。このため、消臭効果を長期間持続させることができる。
【図面の簡単な説明】
【０００８】
【図１】実施の形態１における消臭装置を示す図である。
【図２】実施の形態１における消臭装置の消臭器を示す図である。
【図３】実施の形態１における消臭装置の消臭器のＸ矢視図である。
【図４】実施の形態１における消臭装置の消臭器のＸ矢視図を期間別に示した図である。
【図５】実施の形態１における消臭装置の比較例である従来型の消臭器を示す図である。
【図６】実施の形態１における消臭装置の消臭成分の香り強さが変化する様子を表す図である。
【図７】実施の形態１における消臭装置の消臭成分の香り強さの比が変化する様子を表す図である。
【図８】実施の形態１における消臭装置の消臭成分のトータルの香り強さが変化する様子を表す図である。
【図９】実施の形態１における消臭装置の消臭器の第１変形例を表す図である。
【図１０】実施の形態１における消臭装置の消臭器の第２変形例を表す図である。
【図１１】実施の形態１における消臭装置の消臭器の第２変形例における消臭装置の消臭成分のトータルの香り強さが変化する様子を表す図である。
【図１２】実施の形態１における消臭装置の消臭器の第３変形例を表す図である。
【図１３】実施の形態１における消臭装置の消臭器の第４変形例を表す図である。
【図１４】実施の形態２における消臭装置の消臭器を示す図である。
【図１５】実施の形態３における消臭装置を示す図である。
【図１６】実施の形態３における消臭装置の駆動機を示す図である。
【発明を実施するための形態】
【０００９】
本開示を実施するための形態について添付の図面に従って説明する。なお、各図中、同一または相当する部分には同一の符号が付される。当該部分の重複説明は適宜に簡略化ないし省略される。
【００１０】
実施の形態１．
図１は実施の形態１における消臭装置を示す図である。
【００１１】
図１に示されるように、例えば、消臭装置１は、エレベーターに利用される。
【００１２】
昇降路１００は、図示されない建築物の各階を貫く。エレベーターのかご１０１は、昇降路１００の内部に設けられる。かご１０１は、昇降路１００の内部を上昇または下降する。かご１０１は、図示されない制御盤によって、上昇または下降の動作を制御される。
【００１３】
消臭装置１は、格納箱２とファン３と消臭器１０とを備える。例えば、消臭装置１は、かご１０１の上部に設けられる。
【００１４】
例えば、格納箱２は、直方体形状の箱である。格納箱２は、向かい合う一対の側面において、一対の箱蓋２ａを備える。格納箱２は、制御器２ｂを備える。格納箱２は、かご１０１の上面に設けられる。格納箱２は、一対の箱蓋２ａの一方が昇降路１００の側壁と対向するように設けられる。例えば、格納箱２は、鉛直方向からみた場合、一対の箱蓋２ａの一方がかご１０１から突出するように設けられる。例えば、格納箱２は、制御盤と電気的に接続される。格納箱２は、制御盤からかご１０１の制御情報を取得する。
【００１５】
例えば、一対の箱蓋２ａの各々は、蝶番を用いて、開閉自在に設けられる。例えば、一対の箱蓋２ａの各々は、格納箱２の当該一対の側面の各々のうち一部の領域を開閉する。
【００１６】
制御器２ｂは、制御盤と電気的に接続される。制御器２ｂは、制御盤から制御情報を取得する。例えば、制御器２ｂは、一対の箱蓋２ａの各々の開閉動作を制御する。
【００１７】
例えば、制御器２ｂは、制御情報を用いて一対の箱蓋２ａの各々の開閉動作を制御する。一対の箱蓋２ａの各々は、かご１０１が上昇または下降の動作を行う場合、制御器２ｂの制御に従って開動作を行う。一対の箱蓋２ａの各々は、かご１０１が停止した場合、制御器２ｂの制御に従って閉動作を行う。一対の箱蓋２ａの各々は、かご１０１が停止状態の場合、閉状態である。
【００１８】
ファン３は、羽３ａと吸込口３ｂと吹出口３ｃとを備える。ファン３は、かご１０１の上面に設けられる。ファン３は、格納箱２の側方に設けられる。ファン３は、羽３ａを回転させることで、吸込口３ｂから吹出口３ｃに向かって気流を発生させる。ファン３は、吸込口３ｂから気体を吸い込む。ファン３は、吹出口３ｃから気体を吹き出す。
【００１９】
吸込口３ｂは、一対の箱蓋２ａの他方に接続される。
【００２０】
吹出口３ｃは、かご１０１の上面に接続される。吹出口３ｃは、かご１０１の内部に接続される。
【００２１】
消臭器１０は、格納箱２の内部に設けられる。消臭器１０は、内部を通過した気体に消臭成分を付与する。
【００２２】
消臭装置１は、かご１０１が昇降動作を行う間、消臭成分を付与した気体をかご１０１の内部に送風する。
【００２３】
例えば、かご１０１が上昇動作を行う場合、制御器２ｂは、一対の箱蓋２ａの各々を開状態にする。ファン３は、一対の箱蓋２ａが開状態の場合、吸込口３ｂを介して格納箱２の内部の気体を吸い込む。ファン３は、格納箱２の内部において、一対の箱蓋２ａの一方から他方へ向かう気体の流れを発生させる。当該気体は、消臭器１０の内部を通過する。消臭器１０は、当該気体に消臭成分を付与する。ファン３は、当該気体を、吹出口３ｃからかご１０１の内部へ吹き出す。
【００２４】
例えば、かご１０１が停止した場合、制御器２ｂは、一対の箱蓋２ａの各々を閉状態にする。例えば、かご１０１が停止した場合、消臭装置１は、消臭成分を付与した気体をかご１０１の内部に送風することを停止する。
【００２５】
次に図２を用いて、消臭器１０の機構に関して説明する。
図２は実施の形態１における消臭装置の消臭器を示す図である。図２の（Ａ）は、消臭器１０の例の斜視図である。図２の（Ｂ）は、消臭器１０の断面図である。図２の（Ｃ）は、図２の（Ｂ）におけるＹ矢視図である。
【００２６】
消臭器１０は、容器１１と消臭剤１２とメッシュ１３と第１蓋１４と第２蓋１５と蓋軸１６と駆動機２０とを備える。
【００２７】
例えば、容器１１は、円筒形状である。容器１１は、内部に空洞を備える。例えば、容器１１は、一対の容器開口部１１ａと複数の仕切面１１ｂと複数のセル部１１ｃとを備える。
【００２８】
一対の容器開口部１１ａの各々は、容器１１の一対の向かい合う側面の各々に設けられる。例えば、一対の容器開口部１１ａの各々は、容器１１において、一対の底面の各々に設けられる。例えば、一対の容器開口部１１ａの各々は、容器１１において、一対の底面の各々の全体に相当する。
【００２９】
複数の仕切面１１ｂの各々は、容器１１の内部に設けられる。複数の仕切面１１ｂの各々は、一対の容器開口部１１ａの一方から他方わたって設けられる。例えば、複数の仕切面１１ｂの各々は、一対の容器開口部１１ａの各々に対して垂直に設けられる。例えば、複数の仕切面１１ｂの各々は、容器１１の円筒の中心軸から放射状に設けられる。複数の仕切面１１ｂは、容器１１の内部を分割する。例えば、複数の仕切面１１ｂは、１６枚設けられる。例えば、複数の仕切面１１ｂは、容器１１の内部を１６等分する。
【００３０】
複数のセル部１１ｃの各々は、複数の仕切面１１ｂによって分割された容器１１の内部の各領域である。複数のセル部１１ｃの各々は、一対の容器開口部１１ａを底面とする柱状の形状を備える。例えば、複数のセル部１１ｃの各々の横断面は、扇形の形状である。例えば、複数のセル部１１ｃは、容器１１に１６個設けられる。
【００３１】
例えば、消臭剤１２は、多孔質の樹脂ビーズに香料が含侵されたものである。例えば、当該香料は、精油、精油を溶剤で薄めたもの等が用いられる。例えば、当該香料は、揮発性の消臭成分である。例えば、消臭剤１２は、複数の揮発性の消臭成分を備える。当該複数の揮発性の消臭成分の各々は、香りを用いて、悪臭に対してマスキング消臭効果を及ぼす。
【００３２】
消臭剤１２は、複数のセル部１１ｃの各々に設けられる。消臭剤１２の内部は、気体を自在に通過させる。例えば、消臭剤１２は、内部に気体を通過させることで、通過した気体に消臭成分を付与する。
【００３３】
例えば、複数のメッシュ１３は、網目構造を備える。複数のメッシュ１３の各々は、複数のセル部１１ｃの各々の両端に設けられる。複数のメッシュ１３は、気体を通過させる。複数のメッシュ１３の各々は、複数のセル部１１ｃの各々から消臭剤１２がこぼれ出ることを妨げる。
【００３４】
例えば、第１蓋１４は、円盤状に成型される。第１蓋１４は、第１蓋開口部１４ａを備える。第１蓋１４は、一対の容器開口部１１ａの一方に対向するよう設けられる。例えば、第１蓋１４の円盤の中心は、容器１１の円筒軸の延長線上に位置する。例えば、第１蓋１４の側面は、一対の容器開口部１１ａの一方に対向する。
【００３５】
例えば、第１蓋１４は、図示されない箱蓋２ａを流れる気流において、容器１１の風上側に設けられる。第１蓋１４は、複数のセル部１１ｃのうち、第１蓋開口部１４ａに対向しないものの一端を塞ぐよう設けられる。第１蓋１４は、複数のセル部１１ｃのうち、第１蓋開口部１４ａに対向するものの一端を塞がないように設けられる。第１蓋１４は、第１蓋１４に塞がれた複数のセル部１１ｃを、容器１１の外側の気体から隔離する。
【００３６】
例えば、第１蓋開口部１４ａは、第１蓋１４の一部が切り取られることで形成される。第１蓋開口部１４ａは、複数のセル部１１ｃのうちのいくつかの横断面を繋げた形状を備える。例えば、第１蓋開口部１４ａは、扇形の形状を備える。例えば、第１蓋開口部１４ａは、複数のセル部１１ｃのうちの３つの横断面を繋げた扇形である。第１蓋開口部１４ａは、複数のセル部１１ｃのうち２以上かつ全数未満の断面積の和に等しい面積を備える。例えば、第１蓋開口部１４ａは、複数のセル部１１ｃのうちの３つの横断面を合わせた面積に等しい面積を有する。
【００３７】
例えば、第２蓋１５は、円盤状に成型される。第２蓋１５は、第２蓋開口部１５ａを備える。第２蓋１５は、一対の容器開口部１１ａの他方に対向するよう設けられる。例えば、第２蓋１５の円盤の中心は、容器１１の円筒軸の延長線上に位置する。例えば、第２蓋１５の側面は、一対の容器開口部１１ａの他方に対向する。
【００３８】
例えば、第１蓋１４は、箱蓋２ａを流れる気流において、容器１１の風下側に設けられる。第２蓋１５は、複数のセル部１１ｃのうち、第２蓋開口部１５ａに対向しないものの他端を塞ぐように設けられる。第２蓋１５は、複数のセル部１１ｃのうち、第２蓋開口部１５ａに対向するものの他端を塞がないように設けられる。第２蓋１５は、第２蓋１５に塞がれた複数のセル部１１ｃを、容器１１の外側の気体から隔離する。
【００３９】
第２蓋１５は、第２蓋開口部１５ａに対向する複数のセル部１１ｃと第１蓋開口部１４ａに対向する複数のセル部１１ｃとが一致するよう設けられる。
【００４０】
例えば、第２蓋開口部１５ａは、第２蓋１５の一部が切り取られることで形成される。第２蓋開口部１５ａは、複数のセル部１１ｃのうちのいくつかの横断面を繋げた形状を備える。例えば、第２蓋開口部１５ａは、扇形の一部の形状を備える。例えば、第２蓋開口部１５ａは、複数のセル部１１ｃのうちの３つの横断面を繋げた扇形である。第２蓋開口部１５ａは、複数のセル部１１ｃのうち２以上かつ全数未満の断面積の和に等しい面積を備える。例えば、第２蓋開口部１５ａは、複数のセル部１１ｃのうちの３つの横断面を合わせた面積に等しい面積を有する。
【００４１】
例えば、蓋軸１６は、棒状の形状を備える。蓋軸１６は、第１蓋１４の回転に同期するように、第１蓋１４の中心に接続される。蓋軸１６は、第２蓋１５の回転に同期するように、第２蓋１５の中心に接続される。蓋軸１６は、第１蓋１４と第２蓋１５とに同期して回転する。蓋軸１６は、第１蓋開口部１４ａと第２蓋開口部１５ａとを同じ角度だけ回転させる。
【００４２】
例えば、駆動機２０は、モータ２１とベルト２２と蓋制御器２３とを備える。例えば、駆動機２０は、蓋軸１６に接続される。例えば、駆動機２０は、蓋軸１６を回転させる。駆動機２０は、蓋軸１６を介して、第１蓋１４と第２蓋１５とを移動させる。駆動機２０は、第１蓋１４および第２蓋１５と容器１１との相対位置を変化させる。第１蓋１４および第２蓋１５と容器１１との相対位置が変化した場合、複数のセル部１１ｃのうち第１蓋１４および第２蓋１５に塞がれるセル部１１ｃの位置が変化する。
【００４３】
例えば、モータ２１は、回転軸を備える。モータ２１は、回転駆動力を回転軸に発生させる。
【００４４】
例えば、ベルト２２は、無端状のベルトである。ベルト２２の一端は、蓋軸１６の回転に追従して移動し得るように、蓋軸１６に巻き掛けられる。ベルト２２の他端は、モータ２１の回転軸に追従して移動し得るよう、モータ２１の回転軸に巻き掛けられる。例えば、ベルト２２は、モータ２１の回転駆動力を蓋軸１６に伝達する。
【００４５】
蓋制御器２３は、モータ２１に電気的に接続される。蓋制御器２３は、モータ２１の動作を制御する。例えば、蓋制御器２３は、モータ２１を任意の回転数だけ駆動させる。例えば、蓋制御器２３は、モータ２１を介して、第１蓋１４と第２蓋１５とを任意の角度だけ回転させる。
【００４６】
図２には図示されない格納箱２において、気体は、第１蓋１４または第２蓋１５に塞がれていない複数のセル部１１ｃの内部を通過する。複数のセル部１１ｃの内部において、消臭器１０は、当該気体に消臭成分を付与する。以降、複数のセル部１１ｃにおいて、内部に気体が通過する状態にあるセル部１１ｃは、「使用中のセル」と呼称される。
【００４７】
次に、図３と図４とを用いて、消臭器１０が使用中のセルを変化させる過程の例を説明する。
図３は実施の形態１における消臭装置の消臭器のＸ矢視図である。図４は実施の形態１における消臭装置の消臭器のＸ矢視図を期間別に示した図である。
【００４８】
図３に示されるように、例えば、消臭器１０は、１６個の複数のセル部１１ｃを備える。例えば、消臭器１０において、複数のセル部１１ｃのうち３つは、使用中のセルである。第１蓋開口部１４ａは、時計の十二時方向から時計回りに位置する。図３における消臭器１０は、気体を通されていない状態である。図３における消臭器１０の状態は、初期状態と定義される。
【００４９】
例えば、複数のセル部１１ｃの各々は、十二時方向を基準として、ａからｐまでの符号が付される。例えば、複数のセル部１１ｃのうち時計の十二時の位置に存在するセル部は、セルａである。複数のセル部１１ｃのうちセルａの右隣のセル部は、セルｂである。同様にして、セルｃからセルｐは、時計回りに順番に設けられる。
【００５０】
例えば、第１蓋１４と図３には図示されない第２蓋１５とは、規定期間ごとに、複数のセル部１１ｃのうちの１つに相当する角度だけ時計回りに回転する。例えば、第１蓋１４と第２蓋１５とは、１か月ごとに、２２．５度だけ時計回りに回転する。
【００５１】
消臭剤１２は、時間が経過するにつれて、消臭成分を付与する効果が低下する。例えば、消臭剤１２は、使用された期間に応じて、区別される。例えば、使用された期間が１か月未満である場合、消臭剤１２は、「新」の状態である。例えば、使用された期間が１か月以上２か月未満である場合、消臭剤１２は、「古１」の状態である。例えば、使用された期間が２か月以上である場合、消臭剤１２は、「古２」の状態である。例えば、初期状態において、セルａとセルｂとセルｃとの消臭剤１２は、「新」の状態である。以降、セルａからセルｐまでの消臭剤１２は、それぞれ消臭剤１２ａから消臭剤１２ｐと定義される。
【００５２】
図４に示されるように、例えば、消臭器１０は、１か月ごとに使用中のセルの位置を変化させる。図４の（Ａ）は、初期状態の消臭器１０を表す。図４の（Ｂ）は、初期状態から１か月経過した消臭器１０を表す。図４の（Ｃ）は、初期状態から２か月経過した消臭器１０を表す。図４の（Ｄ）は、初期状態から３か月経過した消臭器１０を表す。
【００５３】
図４の（Ａ）において、消臭剤１２ａと消臭剤１２ｂと消臭剤１２ｃとは、「新」の状態である。
【００５４】
図４の（Ｂ）において、第１蓋１４と図４には図示されない第２蓋１５とは、初期状態と比較して、２２．５度だけ時計回りに回転した状態である。セルａは、使用中のセルでない。セルｄは、使用中のセルである。消臭剤１２ｂと消臭剤１２ｃとは、「古１」の状態である。消臭剤１２ｄは、「新」の状態である。消臭器１０は、「古１」と「新」との状態の消臭成分が混合された気体を放出する。
【００５５】
図４の（Ｃ）において、第１蓋１４と第２蓋１５とは、図４の（Ｂ）に示される状態と比較して、２２．５度だけ時計回りに回転した状態である。セルｂは、使用中のセルでない。セルｅは、使用中のセルである。消臭剤１２ｃは、「古２」の状態である。消臭剤１２ｄは、「古１」の状態である。消臭剤１２ｅは、「新」の状態である。消臭器１０は、「古２」と「古１」と「新」との状態の消臭成分が混合された気体を放出する。
【００５６】
図４の（Ｄ）において、第１蓋１４と第２蓋１５とは、図４の（Ｃ）に示される状態と比較して、２２．５度だけ時計回りに回転した状態である。セルｃは、使用中のセルでない。セルｆは、使用中のセルである。消臭剤１２ｄは、「古２」の状態である。消臭剤１２ｅは、「古１」の状態である。消臭剤１２ｆは、「新」の状態である。消臭器１０は、「古２」と「古１」と「新」との状態の消臭成分が混合された気体を放出する。
【００５７】
その後、消臭器１０は、１か月ごとに、上記と同様の動作を行う。初期状態から１３か月経過するまでの期間、消臭器１０は、「古２」と「古１」と「新」との状態の消臭成分が混合された気体を放出する。
【００５８】
初期状態から１４か月経過した場合、使用中のセルは、セルｏとセルｐとセルａである。セルａにおいて、消臭剤１２ａは、「古１」の状態である。消臭器１０は、「古２」と「古１」との状態の消臭成分が混合された気体を放出する。
【００５９】
初期状態から１５か月以上経過した場合、消臭器１０は、「古２」の状態の消臭成分が混合された気体を放出する。
【００６０】
次に、図５から図８までを用いて、消臭器１０の消臭効果が変化していく様子を、従来構造の消臭器５０における同様の様子と比較して、説明する。
図５は実施の形態１における消臭装置の比較例である従来型の消臭器を示す図である。図６は実施の形態１における消臭装置の消臭成分の香り強さが変化する様子を表す図である。図７は実施の形態１における消臭装置の消臭成分の香り強さの比が変化する様子を表す図である。図８は実施の形態１における消臭装置の消臭成分のトータルの香り強さが変化する様子を表す図である。
【００６１】
図５に示されるように、例えば、従来構造の消臭器５０は、円筒形状を備える。消臭器５０は、内部に消臭剤１２を備える。消臭器５０は、実施の形態１の図５には図示されない消臭器１０と比較して、複数のセル部１１ｃと第１蓋１４と第２蓋１５とを備えない。消臭器５０は、内部の消臭剤１２の全体を用いて、気体に消臭成分を付与する。
【００６２】
図６において、消臭装置１を通過した後の気体に含まれる消臭成分の香り強さと経過した時間との関係を表したグラフが示される。香り強さは、人間が感じる消臭成分の香りの強度である。香り強さは、気体に含まれる消臭成分の濃度と正の相関を持つ。香り強さの単位は、任意単位［ａ．ｕ．］である。
【００６３】
縦軸は、消臭装置１を通過した後の気体に含まれる消臭成分の香り強さを表す。縦軸の単位は、任意単位［ａ．ｕ．］である。
【００６４】
横軸は、初期状態から経過した期間を表す。横軸の単位は、任意単位［ａ．ｕ．］である。例えば、横軸の単位は、１か月である。
【００６５】
例えば、消臭剤１２は、消臭成分Ａと消臭成分Ｂとを備える。消臭成分Ａは、揮発性が比較的高い成分である。消臭成分Ｂは、消臭成分Ａに比べて揮発性が低い成分である。例えば、消臭剤１２は、接触した気体中の消臭成分Ａの濃度と消臭成分Ｂの濃度との和が一定の値より大きい場合、消臭効果を発揮する。例えば、消臭剤１２は、接触した気体中の消臭成分Ａの濃度と消臭成分Ｂの濃度との比の値が一定の範囲にある場合、消臭効果を発揮する。
【００６６】
消臭剤１２が気体に付与する香り強さは、時間とともに減少する。香り強さｘ（ｔ）は、次の式（１）で表される。
ｘ（ｔ）＝Ａ＊ｅｘｐ（−ｔ／ε）      （１）
ｔは、初期状態から経過した時間である。Ａは、初期状態における香り強さを表す初期強度である。εは、消臭成分ごとに固有の減衰係数である。例えば、消臭成分Ａのεの値は、消臭成分Ｂのεの値の２倍である。
【００６７】
図６のグラフにおいて、実施の形態１の消臭器１０が示す関係は、実線で描かれる。当該実線のうちの細い線は、消臭成分Ａの関係を意味する。当該実線のうちの太い線は、消臭成分Ｂの関係を意味する。
【００６８】
消臭器１０において、消臭成分Ａの香り強さは、初期状態の６から減少する。初期状態から１か月経過した場合、使用中のセルは、別のセルに切り替わる。使用中のセルが切り替わる場合、消臭成分Ａの香り強さは、上昇する。消臭成分Ａのグラフのジグザグ形状は、使用中のセルが切り替わることを表す。初期状態から２か月以上かつ１４か月未満の期間において、消臭成分Ａの香り強さは、一定の範囲内の値を示す。初期状態から１４か月以降の期間において、消臭成分Ａの香り強さは、低下する。
【００６９】
消臭器１０において、消臭成分Ｂの香り強さは、初期状態の３から減少する。消臭成分Ｂの香り強さのグラフは、消臭成分Ａの香り強さのグラフと同様の傾向を示す。
【００７０】
図６のグラフにおいて、従来構造の消臭器５０が示す関係は、破線または一点鎖線で描かれる。当該破線は、消臭成分Ａの濃度の関係を意味する。当該一点鎖線は、消臭成分Ｂの濃度の関係を意味する。条件を平等にするため、従来構造の消臭器５０に流れる風量は、消臭器１０に流れる風量の３／１６倍の値に設定される。
【００７１】
消臭器５０において、消臭成分Ａの香り強さは、初期状態の６から単調に減少する。当該減少の速度は、設定された風量が異なるため、消臭器１０における消臭成分Ａの香り強さの減少速度よりも遅い。
【００７２】
消臭器５０において、消臭成分Ｂの香り強さは、初期状態の３から単調に減少する。当該減少の速度は、設定された風量が異なるため、消臭器１０における消臭成分Ｂの香り強さの減少速度よりも遅い。
【００７３】
消臭器５０において、消臭成分Ａの香り強さは、初期状態から約８か月経過した場合、消臭成分Ｂの香り強さよりも弱い。
【００７４】
図７において、消臭装置１を通過した後の気体に含まれる消臭成分の比と経過した時間との関係を表したグラフが示される。
【００７５】
縦軸は、消臭装置１を通過した後の気体の香り強さの比Ａ／Ｂを表す。縦軸の単位は、任意単位[ａ．ｕ．]である。香り強さの比Ａ／Ｂは、消臭成分Ａの香り強さと消臭成分Ｂの香り強さとの比である。
【００７６】
例えば、消臭剤１２は、接触した気体中の香り強さの比Ａ／Ｂの値が一定の範囲にある場合、消臭効果を発揮する。当該一定の範囲は、最適成分比と呼称される。例えば、最適成分比は、１．０から１．６の間である。
【００７７】
横軸は、初期状態から経過した期間を表す。横軸の単位は、任意単位［ａ．ｕ．］である。例えば、横軸の単位は、１か月である。
【００７８】
図７のグラフにおいて、実施の形態１の消臭器１０が示す関係は、実線で描かれる。消臭器１０のグラフのジグザグ形状は、使用中のセルが切り替わることを表す。初期状態から２か月以上かつ１４か月未満の期間において、香り強さの比は、最適成分比の値を示す。
【００７９】
図７のグラフにおいて、従来構造の消臭器５０が示す関係は、破線で描かれる。条件を平等にするため、従来構造の消臭器５０に流れる風量は、消臭器１０に流れる風量の３／１６倍の値に設定される。
【００８０】
消臭器５０において、香り強さの比Ａ／Ｂは、初期状態の２から単調に減少する。消臭器５０において、香り強さの比Ａ／Ｂは、初期状態から約８か月経過した場合、１．０を下回る。香り強さの比Ａ／Ｂが１を下回った場合、消臭剤１２から発生する香りは、初期状態に対して全く異なる香りになる。
【００８１】
図７のグラフに示されるように、消臭器１０は、消臭器５０に比べて、より長い期間にわたって消臭効果を持続させる。消臭器１０は、香りの質を一定に保ち、マスキング効果を長期間にわたって持続させる。
【００８２】
図８において、消臭装置１を通過した後の気体に含まれるトータルの香り強さと経過した時間との関係を表したグラフが示される。トータルの香り強さは、個々の消臭成分の香り強さの合計を意味する。
【００８３】
縦軸は、消臭装置１を通過した後の気体に含まれる消臭成分のトータルの香り強さを表す。縦軸の単位は、任意単位[ａ．ｕ．]である。
【００８４】
例えば、消臭剤１２は、接触した気体中のトータルの香り強さの値が一定の範囲にある場合、消臭効果を発揮する。当該一定の範囲は、かご内最適濃度と呼称される。例えば、かご内最適濃度は、２．５から５．０の間である。
【００８５】
横軸は、初期状態から経過した期間を表す。横軸の単位は、任意単位［ａ．ｕ．］である。例えば、横軸の単位は、１か月である。
【００８６】
図８のグラフにおいて、実施の形態１の消臭器１０が示す関係は、実線で描かれる。消臭器１０のグラフのジグザグ形状は、使用中のセルが切り替わることを表す。初期状態から２か月以上かつ１４か月未満の期間において、トータルの香り強さは、かご内最適濃度の値を示す。
【００８７】
図８のグラフにおいて、従来構造の消臭器５０が示す関係は、破線で描かれる。従来構造の消臭器５０に流れる風量は、それぞれケースＸとケースＹとケースＺとして、消臭器１０に流れる風量の３／１６倍の値と２／１６倍の値と１／１６倍の値とに設定される。
【００８８】
消臭器５０において、ケースＸの場合、トータルの香り強さは、初期状態の９から単調に減少する。その後、トータルの香り強さは、初期状態から約９か月経過した場合、２．５を下回る。
【００８９】
消臭器５０において、ケースＹまたはケースＺの場合、トータルの香り強さは、ケースＸの場合よりもなだらかに減少する。ケースＹまたはケースＺの場合、初期状態におけるトータルの香り強さは、ケースＸの場合の香り強さよりも弱い。ケースＹの場合、トータルの香り強さは、初期状態から約９か月経過後に２．５を下回る。ケースＺの場合、トータルの香り強さは、初期状態から約４か月経過後に２．５を下回る。
【００９０】
図８のグラフに示されるように、消臭器１０は、消臭器５０に比べて、より長い期間にわたって消臭効果を持続させる。
【００９１】
以上で説明した実施の形態１によれば、消臭装置１は、容器１１と消臭剤１２と第１蓋１４と駆動機２０とを備える。容器１１は、一対の容器開口部１１ａを備える。容器１１は、複数のセル部１１ｃを３以上備える。消臭剤１２は、複数のセル部１１ｃのうち２以上に格納される。消臭剤１２は、接触した気体に消臭効果を与える。第１蓋１４は、第１蓋開口部１４ａを備える。第１蓋１４は、複数のセル部１１ｃのうちの一部を外気から隔離する。駆動機２０は、第１蓋１４を移動させることで、使用中のセルを別のセルに変化させる。このため、消臭装置１は、消臭剤１２を使用しない状態で保持することができる。消臭装置１は、使用する消臭剤１２を切り換えることができる。その結果、消臭装置１は、複数の消臭成分の比率が大きく変化することを長期間にわたって抑制することができる。消臭装置１は、消臭効果を長期間持続させることができる。
【００９２】
また、消臭装置１は、円筒形状の容器１１を備える。複数のセル部１１ｃの各々は、扇形の形状を備える。第１蓋開口部１４ａは、扇形の形状を備える。このため、第１蓋１４を回転させることで、複数のセル部１１ｃを塞ぐことができる。その結果、消臭装置１は、容器１１と第１蓋１４との相対位置を容易に変化させることができる。消臭器１０は、小型化されることができる。
【００９３】
なお、容器１１は、直方体の形状を備えてもよい。複数のセル部１１ｃの各々は、並行に並ぶように設けられる。このため、容器１１は、狭い設置場所にも設けられることができる。
【００９４】
また、消臭装置１は、第２蓋１５と蓋軸１６とを備える。第２蓋１５は、第２蓋開口部１５ａを備える。第２蓋１５は、複数のセル部１１ｃのうちの一部を外気から隔離する。第２蓋１５が外気に開放するセル部は、第１蓋１４が外気に開放するセル部と同じである。蓋軸１６は、第１蓋１４と第２蓋１５とに同期して回転する。このため、消臭器１０は、複数のセル部１１ｃの各々の両端を塞ぐことができる。消臭器１０は、複数のセル部１１ｃの各々の両端に気体を通すことができる。その結果、消臭効果を長期間持続させることができる。
【００９５】
また、消臭装置１は、格納箱２を備える。格納箱２は、エレベーターのかご１０１の上面に設けられる。格納箱２は、開閉自在に設けられた一対の箱蓋２ａを側面に備える。格納箱２は、容器１１と消臭剤１２と第１蓋１４と第２蓋１５と蓋軸１６とを格納する。このため、消臭装置１は、容器１１の周辺を通過する気流を抑制することができる。その結果、消臭装置１は、消臭効果を備えた気体を確実にかご１０１の内部に送り込むことができる。
【００９６】
また、格納箱２は、エレベーターの制御情報を取得する。格納箱２は、かご１０１が上昇または下降運動を行う場合、制御情報を用いて一対の箱蓋２ａを開放させる。このため、格納箱２は、昇降時にのみ気流を内部に通過させる。その結果、消臭装置１は、消臭効果を長時間持続させることができる。
【００９７】
なお、一対の箱蓋２ａは、開閉しなくてもよい。例えば、一対の箱蓋２ａは、常に開放状態である。
【００９８】
なお、セル部１１ｃの数は、１６個でなくてもよい。セル部１１ｃが３個以上ある場合、消臭装置１は、有効時間を持続させる効果を奏する。
【００９９】
なお、消臭剤１２の消臭成分は、芳香効果を及ぼすものでなくてもよい。例えば、消臭剤１２は、多孔質の樹脂ビーズに揮発性の脱臭成分が含侵されたものである。例えば、消臭剤１２は、接触した気体から悪臭を取り除く成分を備える。
【０１００】
なお、第１蓋開口部１４ａは、複数のセル部１１ｃのうち３つを繋げた形状でなくてもよい。例えば、第１蓋開口部１４ａは、複数のセル部１１ｃのうち２つ以上を繋げた形状である。
【０１０１】
なお、第２蓋開口部１５ａは、複数のセル部１１ｃのうち３つを繋げた形状でなくてもよい。例えば、第２蓋開口部１５ａは、複数のセル部１１ｃのうち２つ以上を繋げた形状である。
【０１０２】
なお、消臭器１０は、第２蓋１５を備えなくてもよい。例えば、消臭剤１２が放出する消臭成分の量が微量である場合、消臭器１０は、第２蓋１５を備えない。具体的には、消臭剤１２の香料の蒸気圧が低い場合、粒径が小さいため消臭剤１２に空気が通りにくい場合、消臭剤１２が放出する消臭成分の量は、微量である。
【０１０３】
なお、駆動機２０は、容器１１を移動させてもよい。例えば、駆動機２０は容器１１を第１蓋１４に対して相対移動させる。例えば、駆動機２０は、容器１１を移動させることで、使用中のセルを別のセルに変化させる。
【０１０４】
なお、規定期間の単位は、１か月でなくてもよい。例えば、規定期間は、１週間である。例えば、規定期間は、３か月である。
【０１０５】
次に、図９を用いて、消臭器１０の第１変形例について説明する。
図９は実施の形態１における消臭装置の消臭器の第１変形例を表す図である。図９の（Ａ）は、第１変形例における消臭器１０の平面図である。図９の（Ｂ）は、図９の（Ａ）のＢ−Ｂ´断面図である。
【０１０６】
図９に示されるように、第１変形例において、第１蓋１４と図９には図示されない第２蓋１５とは、連続的に移動する。例えば、第１蓋１４は、複数のセル部１１ｃに属するセルｚとの間に、セルｚの開口部αを形成する。開口部αは、第１蓋１４の移動中に、セルｚの一端と第１蓋開口部１４ａとが重なる領域である。開口部αの面積は、セルｚの一端の面積よりも小さい。
【０１０７】
第１変形例における第１蓋１４および第２蓋１５と比較して、実施の形態１における第１蓋１４および第２蓋１５は、間欠的に素早く移動する。変形例でない消臭器１０において、開口部αが存在する時間は、短い。第１比較例における開口部αが存在する時間は、実施の形態１における開口部αが存在する時間よりも長い。
【０１０８】
第１変形例において、新しいセルｚの開放が始まった場合、開口部αの面積は、０から徐々に増加する。
【０１０９】
開口部αの面積が小さい場合、セルｚの内部に流れる気体の量は少ない。開口部αの面積が大きくなるにしたがって、セルｚの内部に流れる気体の量は、増加する。このため、消臭器１０を通過した後の気体において、香り強さは、開口部αの面積が大きくなるに従って、連続的に増加する。
【０１１０】
開口部αの面積の値がある値より大きい場合、セルｚの内部に流れる気体の量は、一定値をとる。この理由は、開口部αの面積の値がある面積値より大きい場合、開口部αにおけるコンダクタンスは、セルｚの内部におけるコンダクタンスよりも大きいからである。コンダクタンスは、ある場所における気体の通過しやすさを意味する。
【０１１１】
例えば、開口部αの面積の値がセルｚの一端の面積の半分の値より大きい場合、セルｚの内部に流れる気体の量は、一定の飽和量である。
【０１１２】
以上で説明した実施の形態１の第１変形例において、第１蓋１４と第２蓋１５とは、連続的に移動する。開口部αの面積は、比較的時間をかけて変化する。このため、消臭器１０は、通過した気体において、消臭成分の濃度変化をなだらかにすることができる。その結果、消臭器１０は、通過した気体における急激な香りの変化を抑制することができる。
【０１１３】
なお、第１蓋１４と第２蓋１５とが間欠的に移動した場合、消臭器１０が発する消臭成分の濃度は、不連続になる。この場合、消臭器１０を通過した気体の香りは、急激に変化する。第１変形例において、消臭器１０は、当該香りの急激な変化を抑制することができる。
【０１１４】
次に、図１０と図１１とを用いて、消臭器１０の第２変形例について説明する。
図１０は実施の形態１における消臭装置の消臭器の第２変形例を表す図である。図１１は実施の形態１における消臭装置の消臭器の第２変形例における消臭装置の芳香成分の合計の濃度が変化する様子を表す図である。
【０１１５】
図１０に示されるように、第２変形例において、初期状態で開放される複数のセルのうちの１つは、消臭剤１２を備えない。例えば、第２変形例において、初期状態から１か月経過後に塞がれるセルは、消臭剤１２を備えない。例えば、第２変形例において、セルａは、消臭剤１２を備えない。
【０１１６】
図１１において、第２変形例の消臭装置１を通過した後の気体に含まれるトータルの香り強さと経過した時間との関係を表したグラフが示される。グラフの縦軸と横軸とは、変形例でない図８に示されるグラフの縦軸と横軸と同様である。かご内最適濃度の値は、変形例でない図８に示されるグラフのかご内最適濃度の値と同様である。
【０１１７】
図１１のグラフにおいて、第２変形例の消臭器１０が示す関係は、実線で描かれる。消臭器１０のグラフのジグザグ形状は、使用中のセルが切り替わることを表す。初期状態から２か月以上かつ１４か月未満の期間において、トータルの香り強さは、かご内最適濃度の値を示す。
【０１１８】
第２変形例において、初期状態のトータルの香り強さは、７である。
【０１１９】
以上で説明した実施の形態１の第２変形例において、初期状態で開放される複数のセルのうちの１つは、消臭剤１２を備えない。このため、消臭器１０を通過した気体において、トータルの香り強さは、初期状態とそれ以降の状態とで近い値にすることができる。初期状態において、トータルの香り強さを抑制することができる。
【０１２０】
なお、変形例でない消臭器１０において、初期状態で通過した気体の消臭成分の濃度は、第２変形例における当該濃度よりも濃い。実施の形態１において、初期状態の消臭器１０が放つ強度の高い香りは、利用者に不快感を与える可能性がある。第２変形例において、消臭器１０は、初期状態の香りの強度を抑制することができる。
【０１２１】
次に、図１２を用いて、消臭器１０の第３変形例について説明する。
図１２は実施の形態１における消臭装置の消臭器の第３変形例を表す図である。
【０１２２】
図１２に示されるように、第３変形例において、複数のセル部１１ｃのうち最後に開放されるセルは、消臭剤１２´を備える。消臭剤１２´は、消臭剤１２と比べて包含する消臭成分が異なる。消臭剤１２´は、消臭剤１２と比べて香りが異なる。例えば、第３変形例において、セルｐは、消臭剤１２´を備える。
【０１２３】
以上で説明した実施の形態１の第２変形例において、複数のセル部１１ｃのうち最後に開放されるセルは、消臭剤１２とは異なる消臭成分を含む消臭剤１２´を備える。このため、消臭器１０は、異なる香りを用いて、図１２には図示されない第１蓋１４と図１２には図示されない第２蓋１５とが一周回転したことを報知することができる。例えば、保守員は、消臭剤の取替時期がきたことを知ることができる。
【０１２４】
次に、図１３を用いて、消臭器１０の第４変形例について説明する。
図１３は実施の形態１における消臭装置の消臭器の第４変形例を表す図である。図１３の（Ａ）は、第４変形例における消臭器１０の平面図である。図１３の（Ｂ）は、図１３の（Ａ）のＣ−Ｃ´断面図である。
【０１２５】
図１３に示されるように、第４変形例において、消臭器１０は、複数の仕切面１１ｂを備えない。第４変形例において、消臭器１０は、複数のセル部１１ｃを備えない。第４変形例において、消臭器１０の高さ方向長さは、一対の容器開口部１１ａの径に対して十分小さい。例えば、第４変形例において、消臭器１０の高さ方向長さは、一対の容器開口部１１ａの直径の１０分の１の長さである。
【０１２６】
第１蓋開口部１４ａを通過した気体は、容器１１の内部において、第１蓋開口部１４ａと第２蓋開口部１５ａとで挟まれた領域および当該領域の近傍を通過する。当該領域に存在しない消臭剤１２は、容器の外の気体に接触しない。当該領域に存在しない消臭剤１２は、消臭成分を付与する効果が低下しない。
【０１２７】
第１蓋１４と第２蓋１５とが回転した場合、消臭器１０を通過する気体は、消臭成分を十分に含んだ消臭剤１２を通過する。
【０１２８】
第４変形例において、例えば、第１蓋１４と第２蓋１５とは、間欠的に移動する。第４変形例において、例えば、第１蓋１４と第２蓋１５とは、連続的に移動してもよい。
【０１２９】
以上で説明した実施の形態１の第４変形例において、消臭器１０は、複数の仕切面１１ｂを備えない。第４変形例において、消臭器１０の高さ方向長さは、一対の容器開口部１１ａの径に対して十分小さい。このため、第１蓋開口部１４ａを通過した気体は、容器１１の内部において、第１蓋開口部１４ａと第２蓋開口部１５ａとで挟まれた領域および当該領域の近傍を通過する。消臭器１０は、当該領域に存在しない消臭剤１２の消臭効果が低下することを防ぐことができる。第４変形例において、消臭器１０は、複数のセル部１１ｃを備えない状態で、変形例でない消臭器１０に近い効果を及ぼすことができる。
【０１３０】
実施の形態２．
図１４は実施の形態２における消臭装置の消臭器を示す図である。図１４の（Ａ）は、消臭器の斜視図である。図１４の（Ｂ）は、消臭器の上面図である。図１４の（Ｃ）は、一対のシートが剥離される様子を表した図である。図１４の（Ｄ）は、図１４（Ｂ）のＤ−Ｄ´断面図である。なお、実施の形態１の部分と同一又は相当部分には同一符号が付される。当該部分の説明は省略される。
【０１３１】
実施の形態２において、使用中のセルの数は、時間の経過と共に増加する。
【０１３２】
図１４に示されるように、消臭装置１は、格納箱２の内部に消臭器３０を備える。
【０１３３】
消臭器３０は、容器３１と消臭剤１２とメッシュ３３と一対のシート３４と剥離器３５とを備える。
【０１３４】
例えば、容器３１は、直方体形状を備える。容器３１は、内部に空洞を備える。例えば、容器３１は、一対の容器開口部３１ａと複数の仕切面３１ｂと複数のセル部３１ｃとを備える。
【０１３５】
一対の容器開口部１１ａの各々は、容器３１の一対の向かい合う側面の各々に設けられる。例えば、一対の容器開口部３１ａの各々は、容器３１において、一対の側面の各々の全体に相当する。
【０１３６】
複数の仕切面３１ｂの各々は、容器３１の内部に設けられる。複数の仕切面３１ｂの各々は、一対の容器開口部３１ａの一方から他方にわたって設けられる。例えば、複数の仕切面３１ｂの各々は、一対の容器開口部３１ａの各々に対して垂直に設けられる。例えば、一対の容器開口部３１ａの各々は、互いに平行に設けられる。複数の仕切面３１ｂは、容器３１の内部を分割する。例えば、複数の仕切面３１ｂは、５枚設けられる。例えば、複数の仕切面３１ｂは、容器３１の内部を６等分する。
【０１３７】
複数のセル部３１ｃの各々は、複数の仕切面３１ｂによって分割された容器３１の内部の各領域である。複数のセル部３１ｃの各々は、一対の容器開口部３１ａを底面とする柱状の形状を備える。例えば、複数のセル部３１ｃの各々の横断面は、長方形の形状である。例えば、複数のセル部３１ｃは、容器３１に６個設けられる。例えば、複数のセル部３１ｃの各々は、並行に並ぶよう設けられる。
【０１３８】
例えば、消臭剤１２は、実施の形態１と同じ消臭剤である。
【０１３９】
例えば、複数のメッシュ３３は、網目構造を備える。複数のメッシュ３３の各々は、複数のセル部３１ｃの各々の両端に設けられる。複数のメッシュ３３は、気体を通過させる。複数のメッシュ３３の各々は、複数のセル部３１ｃの各々から消臭剤１２がこぼれ出ることを妨げる。
【０１４０】
例えば、一対のシート３４の各々は、長方形の形状を備える。一対のシート３４の各々は、接着剤３４ａを備える。一対のシート３４の各々は、接着剤３４ａを介して、一対の容器開口部３１ａの各々に剥離自在に接着される。一対のシート３４の各々は、一対のシート３４に塞がれた複数のセル部３１ｃを、容器３１の外側の気体から隔離する。
【０１４１】
例えば、剥離器３５は、容器３１の側方に設けられる。例えば、剥離器３５は、一対のシート３４の各々の一端に接続される。例えば、剥離器３５は、一対のシート３４の各々の一端を引っ張る。剥離器３５は、一対のシート３４の各々を容器３１から剥離させる。剥離器３５は、一対のシート３４の各々の剥離位置を制御する。
【０１４２】
消臭器３０は、一対のシート３４の各々を剥離することで、使用中のセルの数を増加させる。消臭器３０は、一定期間ごとに使用中のセルの数を増加させる。
【０１４３】
以上で説明した実施の形態２によれば、容器３１は、直方体の形状を備える。複数のセル部３１ｃの各々は、並行に並ぶように設けられる。このため、容器３１は、狭い設置場所にも設けられることができる。
【０１４４】
また、消臭装置１は、一対のシート３４を備える。一対のシート３４の各々は、一対の容器開口部３１ａの各々に剥離自在に接着される。このため、消臭器３０は、一定期間ごとに新しい消臭剤１２を使用することができる。その結果、消臭装置１は、消臭効果を長期間持続させることができる。
【０１４５】
なお、消臭器３０が発生させる香りの強度や質の変化において、実施の形態１に示されるように、揮発性の高い消臭成分が与える影響は、揮発性の低い成分が与える影響よりも大きい。このため、新しい消臭剤１２を使用する場合、消臭器３０は、使用時間の長いセルを密閉することなく、消臭効果を一定に保つことができる。
【０１４６】
なお、容器３１の形状は、長方形に限らない。例えば、容器３１は、実施の形態１の容器１１と同じ形状である。この場合、一対のシート３４の各々は、円形である。例えば、一対のシート３４は、放射状の切込みを備える。一対のシート３４の各々は、一定期間ごとに、複数のセル部１１ｃのうちの１つの領域が、当該切込みに沿って剥離される。
【０１４７】
なお、消臭器３０は、一定期間ごとに一対のシート３４の各々を剥離することができれば、剥離器３５を備えなくてもよい。例えば、消臭器３０は、剥離器３５を備えない。例えば、保守員は、一定期間ごとに一対のシート３４の各々を剥離する作業を行う。
【０１４８】
なお、使用中のセルが時間の経過と共に増加するならば、消臭器３０は、一対のシート３４を備えなくてもよい。例えば、消臭器３０は、変形例でない図１４には図示されない容器１１を容器３１の代わりに備える。例えば、図１４には図示されない第１蓋１４と図１４には図示されない第２蓋１５とは、扇子状の構造を備える。例えば、第１蓋１４は、時間の経過と共に図１４には図示されない第１蓋開口部１４ａを広げる。例えば、第２蓋１５は、時間の経過と共に図１４には図示されない第２蓋開口部１５ａを広げる。
【０１４９】
実施の形態３．
図１５は実施の形態３における消臭装置を示す図である。図１６は実施の形態３における消臭装置の駆動機を示す図である。なお、実施の形態１または実施の形態２の部分と同一又は相当部分には同一符号が付される。当該部分の説明は省略される。
【０１５０】
図１５に示されるように、実施の形態３において、消臭装置１は、駆動機４０を備える。
【０１５１】
駆動機４０は、プロペラ４１を備える。
【０１５２】
プロペラ４１は、プロペラファン４１ａを備える。例えば、プロペラ４１は、回転自在に格納箱２の上方に設けられる。例えば、プロペラ４１は、一対の箱蓋２ａの一方の上方に設けられる。
【０１５３】
プロペラファン４１ａの一部は、昇降路１００とかご１０１との間の空間の直上に位置する。例えば、当該空間の幅は、１メートルである。
【０１５４】
プロペラ４１は、かご１０１が上昇または下降する場合に、かご１０１近傍に発生する気流を用いて回転する。当該気流は、かご１０１が昇降路１００に対して相対移動するとき、かご１０１から観測される。当該気流は、かご１０１が上昇する場合、かご１０１に対する下降気流である。当該気流は、かご１０１が下降する場合、かご１０１に対する上昇気流である。
【０１５５】
プロペラ４１は、プロペラファン４１ａにおいて当該気流を受けることで、回転する。例えば、プロペラ４１は、かご１０１が上昇する場合、順方向に回転する。例えば、プロペラ４１は、かご１０１が下降する場合、逆方向に回転する。
【０１５６】
図１６に示されるように、駆動機４０は、プロペラ４１と第１歯車４２と第２歯車４３とガンギ車４４とアンクル４５とツメ４６と一対のストッパー４７とを備える。例えば、駆動機４０は、格納箱２に接続される。駆動機４０は、蓋軸１６を回転させる。
【０１５７】
例えば、第１歯車４２は、はすば歯車である。第１歯車４２は、プロペラ４１の軸に接続される。第１歯車４２は、プロペラ４１の回転に同期して回転する。
【０１５８】
例えば、第２歯車４３は、はすば歯車である。第２歯車４３の歯は、第１歯車４２の歯に対応する。第２歯車４３は、第１歯車４２に噛み合うよう回転自在に設けられる。例えば、第２歯車４３は、第１歯車４２と共にねじ歯車を形成する。例えば、第２歯車４３の回転軸は、蓋軸１６に平行である。
【０１５９】
ガンギ車４４は、円盤の形状を備える。ガンギ車４４は、外周面に複数の突起体４４ａを備える。ガンギ車４４は、蓋軸１６に接続される。ガンギ車４４の中心軸は、蓋軸１６と同軸である。例えば、ガンギ車４４は、蓋軸１６の回転に同期して回転する。
【０１６０】
アンクル４５の一端は、二股の形状を備える。アンクル４５は、一端において一対の入り爪４５ａを備える。アンクル４５は、二股の付け根の位置において、軸４５ｂに回転自在に接続される。アンクル４５の他端は、第２歯車４３の回転軸に接続される。アンクル４５は、二股の間にガンギ車４４が位置するよう設けられる。アンクル４５は、一対の入り爪４５ａが複数の突起体４４ａに接触し得る位置に設けられる。
【０１６１】
アンクル４５は、軸４５ｂを中心に回転自在に設けられる。アンクル４５は、第２歯車４３から回転駆動力を与えられる。例えば、第２歯車４３が順方向に回転した場合、アンクル４５の一端は、一方向に移動する。アンクル４５の一端が一方向に移動した場合、アンクル４５の他端は、他方向に移動する。例えば、第２歯車４３が逆方向に回転した場合、アンクル４５の一端は、他方向に移動する。アンクル４５の一端が他方向に移動した場合、アンクル４５の他端は、一方向に移動する。
【０１６２】
一対の入り爪４５ａは、複数の突起体４４ａに対して、一方向からのみ外力を与える。一対の入り爪４５ａが他方向から複数の突起体４４ａのうちの１つに接触する場合、一対の入り爪４５ａは、当該突起体４４ａの位置を動かさない。一対の入り爪４５ａは、突起体４４ａの位置を動かすことなく、他方向へ移動する。
【０１６３】
例えば、ツメ４６は、棒状の形状を備える。ツメ４６の一端は、第２歯車４３の中心に接続される。ツメ４６は、一端を中心として振り子状に運動する。ツメ４６は、第２歯車４３の回転に同期して運動する。
【０１６４】
一対のストッパー４７の一方は、ツメ４６の一側方に設けられる。一対のストッパー４７の一方は、ツメ４６の他側方に設けられる。一対のストッパー４７の各々は、ツメ４６の運動に干渉し得るよう設けられる。一対のストッパー４７の各々は、ツメ４６が運動できる幅を規定する。例えば、一対のストッパー４７の一方は、ツメ４６が一側方に移動した場合、衝突することでツメ４６の運動を停止させる。
【０１６５】
駆動機４０は、かご１０１の昇降運動によって生じる気流を用いて、蓋軸１６を回転させる。駆動機４０は、蓋軸１６を介して、第１蓋１４と第２蓋１５とを移動させる。駆動機４０は、第１蓋１４および第２蓋１５と容器１１との相対位置を変化させる。
【０１６６】
例えば、駆動機４０は、かご１０１が上昇する場合、蓋軸１６を時計回りに回転させる。例えば、駆動機４０は、かご１０１が下降する場合、蓋軸１６を回転させない。
【０１６７】
例えば、かご１０１が上昇する場合、プロペラ４１は、下降気流を受ける。プロペラ４１は、下降気流を受ける場合、順方向に回転する。第１歯車４２は、プロペラ４１に同期して、順方向に回転する。第２歯車４３は、第１歯車４２に同期して順方向に回転する。アンクル４５は、第２歯車４３に回転駆動力を与えられる。アンクル４５の一端は、一方向へ移動する。一対の入り爪４５ａは、複数の突起体４４ａのうちの１つに対して、一方向から外力を与える。ガンギ車４４は、順方向に回転する。蓋軸１６は、ガンギ車４４の回転に同期して、時計回りに回転する。
【０１６８】
例えば、かご１０１が下降する場合、蓋軸１６は回転しない。かご１０１が下降する場合、アンクル４５の一端は、他方向に移動する。一対の入り爪４５ａは、多方向から複数の突起体４４ａのうちの１つに接触する。一対の入り爪４５ａは、突起体４４ａの位置を動かすことなく、他方向へ移動する。
【０１６９】
以上で説明した実施の形態３によれば、駆動機４０は、プロペラ４１を備える。プロペラ４１は、エレベーターのかご１０１の上方に設けられる。プロペラ４１は、駆動機４０に回転自在に設けられる。プロペラ４１は、かご１０１が上昇または下降運動を行うときにかご１０１周辺に発生する気流によって回転する。駆動機４０は、当該回転の駆動力を用いて、容器１１と第１蓋１４との相対位置を変化させる。このため、消臭装置１は、電力設備を備えることなく消臭器１０の第１蓋１４と第２蓋１５とを回転させることができる。
【０１７０】
なお、一対の入り爪４５ａは、複数の突起体４４ａに対して、他方向からのみ外力を与えるよう設けられてもよい。
【産業上の利用可能性】
【０１７１】
以上のように、本開示に係る消臭装置は、エレベーターの消臭装置に利用できる。
【符号の説明】
【０１７２】
１  消臭装置、  ２  格納箱、  ２ａ  箱蓋、  ２ｂ  制御器、  ３  ファン、  ３ａ  羽、  ３ｂ  吸込口、  ３ｃ  吹出口、  １０  消臭器、  １１  容器、  １１ａ  容器開口部、  １１ｂ  仕切面、  １１ｃ  セル部、  １２，１２ａ〜１２ｐ，１２´  消臭剤、  １３  メッシュ、  １４  第１蓋、  １４ａ  第１蓋開口部、  １５  第２蓋、  １５ａ  第２蓋開口部、  １６  蓋軸、  ２０  駆動機、  ２１  モータ、  ２２  ベルト、  ２３  蓋制御器、  ３０  消臭器、  ３１  容器、  ３１ａ  容器開口部、  ３１ｂ  仕切面、  ３１ｃ  セル部、  ３３  メッシュ、  ３４  シート、  ３４ａ  接着剤、  ３５  剥離器、  ４０  駆動機、  ４１  プロペラ、  ４１ａ  プロペラファン、  ４２  第１歯車、  ４３  第２歯車、  ４４  ガンギ車、  ４４ａ  突起体、  ４５  アンクル、  ４５ａ  入り爪、  ４５ｂ  軸、  ４６  ツメ、  ４７  ストッパー、  ５０  消臭器、  １００  昇降路、  １０１  かご、  ａ〜ｐ，ｚ  セル、  α  開口部
【要約】
消臭効果を長期間持続させることができる消臭装置を提供する。消臭装置は、一対の向かい合う側面の各々に一対の容器開口部の各々が設けられ、前記一対の容器開口部の一方から他方にわたって設けられた仕切面によって内部の空間が分割されることで形成された領域である複数のセル部を備え、前記複数のセル部に消臭剤を格納する容器と、第１蓋開口部を備え、前記第１蓋開口部において前記複数のセル部のうちの１または複数を外気に開放し、前記第１蓋開口部でない場所において前記一対の容器開口部の一方を塞ぐように設けられた第１蓋と、前記容器または前記第１蓋を移動させることで、前記複数のセル部のうち前記第１蓋が外気に開放するセル部を別のセル部に変化させる駆動機と、を備えた。【図１】
0006912013.tif 000002
【図２】
0006912013.tif 000003
【図３】
0006912013.tif 000004
【図４】
0006912013.tif 000005
【図５】
0006912013.tif 000006
【図６】
0006912013.tif 000007
【図７】
0006912013.tif 000008
【図８】
0006912013.tif 000009
【図９】
0006912013.tif 000010
【図１０】
0006912013.tif 000011
【図１１】
0006912013.tif 000012
【図１２】
0006912013.tif 000013
【図１３】
0006912013.tif 000014
【図１４】
0006912013.tif 000015
【図１５】
0006912013.tif 000016
【図１６】
0006912013.tif 000017